(57)【要約】      （修正有）【課題】現在の自動のパッケージングソリューションは、中から大の容積用に設計されており、商品の流通中に個々の梱包容器の物理的特性を変更することは容易ではなく、追加的な恩恵を与えることができるシステムおよび方法を提供する。【解決手段】個別の梱包容器作成システムは、撮像装置を用いて、バーコードの画像を取り込む。画像取り込みモジュールは、このバーコードを復号して、梱包容器の寸法データおよび１つ以上の梱包容器の構造パラメータなどのデータを検索する。処理装置は、梱包容器の寸法および構造パラメータに基づいて、一連の切り抜き命令を規定する。自動の梱包容器作成装置は、切り抜き命令を適用し、切り抜き装置を用いて、梱包容器を作成する。【選択図】図３
2014031006.tif 000002
【特許請求の範囲】
【請求項１】
自動梱包容器作成システムであって、
バーコードを復号して、梱包容器に関する寸法および構造パラメータに対応するデータを作成するよう設定された画像取り込みモジュールと、
プロセッサと、 
切り抜き装置と、
プログラミング命令を保持するコンピュータ可読メモリであって、前記プログラミング命令が実行されると、
前記梱包容器の寸法および前記構造パラメータを用いて、一連の切り抜き命令を規定し、
前記切り抜き装置に、前記切り抜き命令を基材に適用して、前記梱包容器の２次元平面を作成するよう前記プロセッサに命令する、コンピュータ可読メモリと、を含むシステム。
【請求項２】
前記基材から前記バーコードの画像を取り込み、復号するために前記画像を前記画像取り込みモジュールに供給するよう設定された撮像装置をさらに含む請求項１に記載のシステム。
【請求項３】
複数の梱包容器のテンプレートを格納するデータベースをさらに含み、
前記プログラミング命令は、実行されると、前記梱包容器の寸法および前記梱包容器の構造パラメータに基づいて、前記プロセッサに前記一連の切り抜き命令を規定させ、前記一連の切り取り命令には、前記データベースからテンプレートを選択する命令も含まれる、請求項１に記載のシステム。
【請求項４】
前記梱包容器のテンプレートはそれぞれ規則セットを含み、
前記梱包容器の構造パラメータは小平面の形状を含み、
前記テンプレートは規則セットを含み、
実行されると、前記プロセッサに前記一連の切り抜き命令を規定させる前記プログラミング命令には、
前記形状および前記梱包容器の寸法を前記規則セットに適用して、前記梱包容器の平面に関する複数の追加の小平面を特定し、
小平面ごとに、前記他の小平面のうちの少なくとも１つに関する寸法のセットおよび位置を特定するための命令も含まれる、請求項３に記載のシステム。
【請求項５】
実行されると、前記プロセッサに前記一連の切り抜き命令を規定させる前記プログラム命令には、小平面ごとに、一連の命令を規定して、複数の縁を作成するための命令も含まれ、少なくとも１つ前記縁には、切り抜き線が含まれ、少なくとも第２の前記縁には、折り線が含まれる、請求項４に記載のシステム。
【請求項６】
実行されると、前記プロセッサに前記一連の切り抜き命令を規定させる前記プログラム命令には、
前記バーコード内の指標に基づいてアルゴリズムを選択し、
前記構造パラメータを前記アルゴリズムに適用するための命令も含まれる、請求項１に記載のシステム。
【請求項７】
前記梱包容器の構造パラメータには、たった１つの梱包容器の小平面に関する情報が含まれる、請求項１に記載のシステム。
【請求項８】
前記梱包容器の構造パラメータには、少なくとも１つの梱包容器の小平面に関する情報が含まれる、請求項１に記載のシステム。
【請求項９】
実行されると、電子装置のプロセッサに、
バーコードの画像を取り込ませ、
前記バーコードを復号して、梱包容器の寸法データおよび梱包容器の構造パラメータを検索させ、
前記梱包容器の寸法データおよび前記梱包容器の構造パラメータを用いて、一連の切り抜き命令を規定させ、
自動の梱包容器作成装置に、前記切り抜き命令を梱包容器の平面に適用するよう命令させるプログラミング命令を含むコンピュータ可読媒体。
【請求項１０】
前記梱包容器の構造パラメータには、梱包容器の小平面の形状が含まれ、実行されると、前記プロセッサに一連の切り抜き命令を規定させる前記命令には、
前記梱包容器の寸法データおよび前記梱包容器の構造パラメータに基づいて、データベースからテンプレートを検索するための命令と、
前記形状および前記梱包容器の寸法を、前記テンプレートに適用して、前記梱包容器の平面に関する複数の追加の小平面、および各小平面に関する少なくとも１つのその他の小平面に関する寸法セットおよび位置を特定するための命令と、
複数の縁を作成させるための命令であって、前記縁の第１のサブセットには、切り抜き線が含まれ、前記縁の第２のサブセットには、折り線が含まれる、命令と、が含まれる、請求項９に記載のコンピュータ可読媒体。
【発明の詳細な説明】
【技術分野】
【０００１】
本発明は、個別の梱包容器を作成する方法およびシステムに関する。処理装置により一連の切り抜き命令を規定する。自動梱包容器作成装置により切り抜き命令が適用し、切り抜き装置を用いて梱包容器を梱包容器の平面の形態で作成する。
【背景技術】
【０００２】
一般に、商品の製造業者や販売業者は、販売または発送する商品のための梱包容器を選択する際、特定の利用可能な梱包容器のサイズおよび形状の一覧表から梱包容器を選択しなければならない。しかし、これにより、その完全に商品には適していない梱包容器を選択しなければならなくなる可能性もある。例えば、商品が必要とするサイズより大きな梱包容器を用いると、配送中の商品が損傷を受けることを避けるために、追加の梱包材料が必要となる可能性がある。それに加え、大きな梱包容器を用いることで出荷や配送の費用がさらにかかる可能性がある。
【発明の概要】
【発明が解決しようとする課題】
【０００３】
したがって、小さい容積の用途に対する個別の梱包材料の製造に大きな関心が寄せられてきた。例えば、美術品などの固有の商品では、固有の梱包容器を用いることの恩恵を得ることができる。しかし、固有の梱包容器の作成には、追加の費用およびかなりの設定時間が必要となる可能性がある。現在の自動のパッケージングソリューションは、中から大の容積用に設計されており、商品の流通中に個々の梱包容器の物理的特性を変更することは容易ではない。本明細書では、上記の問題に対するソリューションを提案し、追加的な恩恵を与えることができるシステムおよび方法を説明する。
【課題を解決するための手段】
【０００４】
一実施形態では、梱包容器を作成する方法で、バーコードの画像を取り込む撮像装置を用いる。画像取り込みモジュールによりバーコードを復号して、梱包容器の寸法データおよび１つ以上の梱包容器の構造パラメータなどのデータを検索する。検索された梱包容器の寸法および構造パラメータに基づいて、処理装置により一連の切り抜き命令を規定する。自動梱包容器作成装置により切り抜き命令が適用し、切り抜き装置を用いて梱包容器を梱包容器の平面の形態で作成する。
【０００５】
いくつかの実施形態では、画像が取り込まれる際、撮像装置はバーコードも同時に取り込む。このバーコードは基材上に印刷され、切り抜き装置がこの基材を用いて、梱包容器を作成する。
【０００６】
いくつかの実施形態では、一連の切り抜き命令を規定する際、プロセッサにより、梱包容器の寸法データ、および梱包容器の構造パラメータに基づくテンプレートをデータベースから検索することができる。梱包容器の構造パラメータには梱包容器の小平面の形状が含まれ得る。このテンプレートには規則セットが含まれ得る。一連の切り抜き命令を規定する際、プロセッサが形状および梱包容器の寸法を規則セットに適用して、梱包容器の平面に関する付加的な小平面を特定することができる。プロセッサにより、寸法セット、およびその他の小平面のうちの少なくとも１つに対する位置を小平面ごとに適用することができる。それに加えて、プロセッサにより一連の命令を規定して、小平面ごとに縁を作成することができる。これらの縁のうちの少なくとも１つは切り抜き線を含み、その他の１つ以上の縁は折り線を含む。
【０００７】
随意的に、プロセッサは、バーコード内の指標に基づいて、アルゴリズムを選択し構造パラメータをこのアルゴリズムに適用するしてもよい。この構造パラメータには、少なくとも１つの梱包容器の小平面に関する情報が含まれ得る。いくつかの実施形態では、構造パラメータには、たった１つの梱包容器の小平面に関する情報が含まれてよい。
【図面の簡単な説明】
【０００８】
【図１】図１は、印刷された梱包容器の平面の一例を示す説明図である。
【図２】図２は、バーコードおよびそのバーコード内に符号化可能なデータの一例を示す説明図である。
【図３】図３は、梱包容器を作成するための一連の命令を生成するプロセスを示すフローチャートである。
【図４】図４は、３次元の梱包容器の一例を示す説明図である。
【図５】図５は、図４に示される３次元の梱包容器に対応する２次元の梱包容器の平面を示す説明図である。
【図６】図６は、本明細書に記載するプロセスの種々の実施形態を実施するために使用可能なコンピュータシステムの構成要素を示すブロック図である。
【発明を実施するための形態】
【０００９】
本明細書は変更される可能性があるため、記載された特定なシステム、装置、および方法には限定されない。本明細書で使用される専門用語は、特定なバージョンまたは実施形態を説明する目的のみで用いられ、本発明の範囲を限定することを意図しない。
【００１０】
本明細書で使用される単数形「ある（ａ）」、「ある（ａｎ）」、および「その（ｔｈｅ）」には、文脈により明らかに示されている場合を除き、複数への言及も含まれる。特に規定されない限り、本明細書で使用する全ての技術用語および科学用語は、当業者が一般的に理解していることと同じ意味を有する。本明細書で使用される用語「含む」とは、「含むが、それらには限定されない」ことを意味する。
【００１１】
本明細書の説明のための「バーコード」とは、例えば、万国製品コード（ＵＰＣ）、データ行列コード、クイックレスポンス（ＱＲ）コードまたはその他の１次元コードまたは２次元コード、グリフ、Ａｚｔｅｃコード、Ｍａｘｉコードなどの全ての符号化データの全てのマシン可読表現形式のことを指す。
【００１２】
「撮像装置」とは、対象を光学的に捉えることができその対象の解釈を電気信号に変換することができる全ての装置のことを指す。撮像装置の例として、カメラレンズが挙げられる。を行うことができる画像取り込みモジュール」とは、バーコードおよびその他のシンボルの画像を取り込むために用いられる、ソフトウェア・アプリケーション、および／または電子装置の画像検知用ハードウェアのことを指す。
【００１３】
基材上で印刷および切り抜きの作業を行うことができる印刷装置により、梱包容器の作成を実行可能である。この装置は、折り目付け、被膜、および／または積み重ねなど、その他の作業も行うことができる。自動の梱包容器作成装置の例には、ゼロックスコーポレーションで市販されているデジタルプロダクション印刷機のｉＧｅｎ（商標）シリーズの梱包容器作成装置が含まれる。使用される基材は、一般に、普通の紙よりも厚い。例えば、ボール紙、カード用紙、または折り曲げられて梱包容器になると自立可能な３次元構造を提供するその他の材料でよい。
【００１４】
図１には、自動の梱包容器作成装置で作成することができる印刷済みの梱包容器の平面１０の一例が示される。この装置は、梱包容器の寸法および構造特性などの梱包容器のデータファイル内に保存されたデータに基づいて、平面を作成することができる。この装置は、この寸法および特性を用いて平面を作成することができる。この平面には、面１１、１２、１３、１８と、蓋１４、１５と、および／または、糊代１６、１７などの１つ以上の小平面が含まれる。より大きな基材から、この装置が平面１０を作成する際、１本以上の切り抜き線（図１に実線で示される線２０などを参照）に沿って基材を切り抜き、基材１本以上の折り線（図１には点線で示される線２１などを参照）に沿って刻み目、または、くぼみを付けられる。これらの小平面、折り線、および切り抜き線などのアイテムは全て、梱包容器の構造特性と見なされる。任意のまたは全ての構造特性、あるいは特性の組み合わせは、梱包容器のデータファイル内に含まれる幅や高さなどの関連寸法を有し得る。
【００１５】
基材には、文字、数字、絵、バーコード、またはその他の基材に印刷される資料などの印刷済みのコンテンツ２５も含まれ得る。基材が梱包容器作成装置に入る前に、いくつか、または全ての印刷済みコンテンツ２５を基材上に印刷することができる。例えば、バーコードを基材上に印刷することができる。その場合、本明細書に記載する実施形態では、バーコードを用いて、梱包容器を作成するためのデータ、および／または、命令を取得することができる。
【００１６】
印刷物作成ジョブを特定するために、バーコードおよびその他のデータが使用されてきた。例えば、米国特許出願公開番号第２０１０／０２１４６２２号明細書（Ｒｕｅｇｇ  ｅｔ  ａｌ．）および米国特許出願公開番号第２００８／０２７３９４５号明細書（Ｌｅｖｉｎｅ  ｅｔ  ａｌ．）には、カバー上の印刷済み資料に基づいて、本を作成する方法およびシステムが記載されており、この開示を引用することにより本明細書に組み込むものとする。カバーを走査して印刷済み資料を見つけて、その本を識別することができ、次いで、その本の識別情報に基づいて、収納場所から木版本を検索することができる。次いで、その木版本のラスタ画像処理に基づいて本を印刷する。
【００１７】
自動の梱包容器作成では、木版本のラスタ画像処理よりもはるかに多いデータが必要となる。梱包容器を作成するために、梱包容器上に印刷されるコンテンツだけでなく、梱包容器の小平面ごとの構造パラメータおよび寸法を作成装置は必要とする。しかし、これらの特性の全てをバーコード内に収めることは実用的ではない、というのも、作成されるバーコードが、符号化された形態の全データを含むため、とてつもなく大きくなる必要があるためである。さらに、可能性のある梱包容器構造設計およびサイズを全てデータベースで管理することも実用的ではない、というのも、そうすることで、ユーザが固有の１つのユニットのランレングスに至るまでの、本当に個別の梱包材料を作成することができなくなるためである。
【００１８】
したがって、本明細書に記載の実施形態には基材の上にバーコードを印刷する、梱包容器の作成プロセスが含まれ、例えば、その基材から梱包容器が切り抜かれる。図２には、梱包容器を作成するために使用可能な符号化されたデータを含むバーコード２０１の一例が示される。梱包容器の全体サイズ２１１、梱包容器に関する基準点２１３、および少なくとも１つの梱包容器の小平面に関する情報２１５を供給する１つ以上の構造パラメータを示す符号化データがバーコードには含まる。この構造パラメータ２１５には、小平面の種類（例には、面、蓋、または糊代が挙げられる）および１つ以上の小平面の寸法（例には、全長および幅が挙げられる）などの特性が含まれ得る。
【００１９】
しかし、バーコードには、梱包容器の小平面に関する詳細の全てが含まれる必要はない。その代わり、バーコードには、１つだけの梱包容器の小平面など、梱包容器の一部の小平面の詳細が含まれるだけでよい。次いで、プロセッサがその情報を用いて、残りの梱包容器の小平面を特定し、梱包容器全体を作成するための命令を決定することができる。これらのプロセスの種々の機能が、図３のフローチャートに示される。最初にステップ３０１で、画像処理装置はバーコードを走査することができ、ステップ３０３で、バーコード内に含まれるデータを復号することができる。上記の通り、梱包容器を形成するための基材の上にバーコードを印刷することができる。あるいは、異なる基材の上にバーコードを印刷することができ、または、電子ディスプレイ上に表示することができ、これにより、そのバーコードを撮像装置が受信することができ、受信されたバーコードを画像取り込みモジュールが復号することができるようになる。撮像装置、および／または、画像取り込みモジュールは、梱包容器作成システムの構成要素でよい、または、梱包容器作成システムに電気信号を直接的、または間接的に送信する１つ以上の異なる装置の一部でもよい。
【００２０】
プロセッサがこの復号されたデータを精査して、ステップ３０５で、少なくとも梱包容器の寸法を特定し、ステップ３０７で、梱包容器の構造パラメータを特定する。これらのデータ点は、メタデータに基づいて、バーコード内の位置に基づいて、データに付随するヘッダのフォーマットに基づいて、またはその他の全ての好適な手段により特定することができる。ステップ３０５で特定される梱包容器の寸法には、全体の最大高さ、および／または、最大幅（Ｘ座標およびＹ座標）、最小高さ、および／または、最小幅、またはその他の全ての２次元の梱包容器の平面に関する寸法が含まれ得る。ステップ３０７で特定される構造パラメータには、梱包容器の種類、および／または、対称性や形状などの１つ以上の梱包容器の小平面の識別情報が含まれ得る。パラメータには、面、蓋、糊代、またはその他の小平面が、随意的に、長方形、正方形、三角形、または円形などの小平面の形状に関する分類的な構成要素とともに含まれ得る。ステップ３０９で、復号データにより、随意的に、基準点を作成することもでき、プロセッサがこの基準点を用いて、基材上の位置を特定することができる。基準点には、例えば、切り抜かれていない基材の左下の角からＸインチだけ上の位置に対応する座標や、切り抜かれていない基材の左下の角の位置に対応する座標や、その角の右にＹインチの位置に対応する座標などの１つ以上の座標が含まれ得る。あるいは、各基材が、中心点、または、基材の角の点など、初期設定の基準点を有し得る。いずれの状況においても、構造パラメータには、その基準点からの距離も随意的に含まれ得る。例えば、切り抜かれていない基材の中心が基準点の場合、長方形の小平面が、中心点まで２インチ右で、中心点から５インチ上に位置する左上の角を有すると、構造パラメータで表すことができる。
【００２１】
いくつかの実施形態では、ステップ３１１で、符号化データに、付加的な小平面およびそれらの小平面の位置を計算するためのアルゴリズムも含むことができる。例えば、符号化データにより、密封される箱が示される場合、追加データが存在し得、このデータにより、張出面を有する蓋が用いられることが示される。その場合は、次いでプロセッサは、ステップ３１３で、アルゴリズムを用いて、バーコードからのデータを処理し、残りの構造特性を判定することができる。
【００２２】
あるいは、システムは、ステップ３１５で、既知の情報を用いて、プロセッサと通信するコンピュータ可読メモリ内に格納されたデータベースからテンプレートを特定することができる。このテンプレートには、一連の規則が含まれ得、これにより、既知の情報に基づいて、その他の小平面が何に生成されるかをプロセッサが特定することができる。テンプレートには、１つ以上のアルゴリズム、または、１つ以上の選択基準も含まれ得る。次いで、プロセッサは、ステップ３１７で、このバーコードデータをテンプレートに適用して残りの構造パラメータを特定することができる。
【００２３】
例として図４を参照すると、３次元の梱包容器は三角柱４０１になることが構造パラメータにより示される場合、梱包容器が４インチベースの縁４０７を有する三角形の小平面４０５を含むことを示すデータもバーコードにより含まれ得る。梱包容器を形成するための、２次元の切り抜き平面全体の幅および高さは、１０インチの高さ×１０インチの幅であることもこのデータにより示され得る。その場合、このテンプレートには規則セットが含まれ得、残りの構造特性には、基部の縁４０７に隣接する第１の小平面４１１が含まれ、この第１の面は全体の高さ（１０インチ）に対応する高さと、基部の幅に対応する幅を有することが、この規則セットにより示される。次いで、このテンプレート内に含まれた規則に基づいて、プロセッサは、もう２つの小平面４１３が残りの構造特性に必要であることを判定し、この２つの小平面４１３が、それぞれその１０インチの縁に沿って第１の小平面４１１に隣接し、かつ、その２つの面に沿って三角形の小平面４０５に隣接する。それぞれの側面の小平面４１３の高さは、全高（１０インチ）と等しく、それぞれの側面の小平面４１３の幅は、（全幅−三角形の幅の基部）／２または３インチと等しい。
【００２４】
随意的に、テンプレートにより、三角形の小平面または任意の長方形の小平面のどちらかに１つ以上の糊代（図示せず）を取り付けなければならないことも示され得る。取り付けられる小平面の寸法に基づいて、各糊代の高さ、幅、およびその他の特性がテンプレートにより規定される。糊代、および／または、蓋の数とそれらの位置とは、梱包容器の全体のサイズに基づいて変更可能である。例えば、図１を参照すると、正方形の箱に関するテンプレートには、規則が含まれ得、この規則には、面１８の長さが１０インチ以下の場合、面１８の外側の縁に沿って２つの糊代１７を、それぞれ面１８の外角から３インチ離して配置しなければならいことが示される。その一方で、面１８の長さが１０インチより長く、２０インチより短い場合、３つの糊代１７が必要となり得、そのうちの１つは中心面１８の縁に沿って中心となることが規則により示される。
【００２５】
さらに、柱が密封される柱の場合、第１の三角形の小平面４０５と同じ寸法を有する第２の三角形の小平面を供給しなければならないことがテンプレートにより示される。これらの特性がどのように２次元の梱包容器の平面上に表されているかの１つの例が図５に示される。図４に示される特性に加えて、図５には、第２の側面の小平辺４２３および第２の三角形の小平面４２５も示される。
【００２６】
このように、システムは、全てのデータをバーコード内に符号化する必要なしに、または梱包容器専用のデータファイルを格納する必要なしに、バーコードデータを用いて、梱包容器の小平面および各小平面に関する寸法を特定することができる。いくつかの実施形態では、わずか１０文字、１１文字、または１２文字がバーコード内に必要となるだけである。例えば、最初の１文字を用いて媒体構造体の種類（立方体、三角形の箱４０１、コンパクトディスクの箱など）を特定することができ、続く３文字を用いて梱包容器に関する第１の全体寸法（例えば、幅、すなわちＸ軸に沿った距離）を特定することができ、次の３文字を用いて梱包容器に関する第２の全体寸法（例えば、高さ、すなわちＹ軸に沿った距離）を特定することができ、次の３字文を用いて梱包容器に関する第３の寸法全ての（例えば、奥行き、すなわちＺ軸に沿った距離）を特定することができる。最後の１文字により、用いられる蓋の種類を示すことができる。アルゴリズムが、この情報に基づいて、残りのデータとともに最初の１文字により示されるテンプレートに関する規則を用いて、梱包容器の平面に適用される、対応する切り抜き線、および折り線の配置を決定する。
【００２７】
図３に戻ると、システムが梱包容器の平面、およびその小平面の寸法を特定した後、このシステムは、ステップ３１９で、一連の切り抜き命令、および／または、折り目付け命令を規定することができ、梱包容器作成装置がこれらの命令を用いて切り抜き線、および／または、折り線を基材に適用する。これらの命令は梱包容器作成ファイルなどのコンピュータ可読メモリに保存される。システムは、各小平面の縁に関する命令のグループを命令のデータベースから読み出し、梱包容器内の小平面の相対的位置に基づいて、必要に応じてグループを変更し、次いで、検索されたグループを組み合わせて梱包容器の平面に関して設定された命令全体を作成することにより、これを行うことができる。この命令には、（ａ）切り抜き線、または折り線を基材に適用するための一連の命令、または（ｂ）基材を変更することなく、基材上の新しい位置にツールを移動させるための一連の命令のどちらかが含まれ得る。例えば、図５を参照すると、蓋４０５を作成するための命令には、（１）蓋の辺４２１と４１３との交点にカッターを移動させるための命令と、（２）その点から辺４２１と４２２との交点までの直線を切るための命令と、（３）その点から辺４２２と４２３との交点までの直線を切るための命令と、（４）その点から辺４１３と４２１との交点までの直線に折り線を付けるための命令と、が含まれ得る。その縁が梱包容器の平面の外周の縁かどうか（この場合は、切り取られる）、あるいは、その縁が別の小平面に隣接するかどうか（この場合は、折り曲げられる）により、このシステムは、小平面の縁（またなその一部）ごとの、特定な命令が線なのか折り目なのか判断することができる。
【００２８】
図３に戻ると、切り抜き命令を規定した後、次いで、梱包容器作成システムは、この切り抜き命令を基材に適用して、ステップ３２１で、梱包容器の平面を作成することができる。
【００２９】
図６には、梱包容器作成システム、および／または、上記の関連装置に関する、内部ハードウェアのブロック図が示され、これらの内部ハードウェアを用いて、プログラム命令を格納、または実行することができる。バス６００は、その他の例示するハードウェアの構成部品どうしを相互接続するメイン情報ハイウェイとして機能する。ＣＰＵ６０５は、このシステムの中央処理装置であり、プログラムを実行するために必要な計算および論理演算を行う。ＣＰＵ６０５は、単独で、または図６内に配置される１つ以上のその他の構成要素と併せて、処理装置、コンピュータ装置、またはプロセッサであり、これらの用語は、本開示内で用いられる。記憶装置、またはプロセッサ可読媒体の例として、リード・オンリ・メモリ（ＲＯＭ）６１０、およびランダム・アクセス・メモリ（ＲＡＭ）６１５が挙げられる。
【００３０】
制御装置６２０は、インターフェースを介して、１つ以上の随意的な有形のコンピュータ可読記憶装置６２５をシステムバス６００に接続させる。これらの記憶装置６２５には、例えば、外付けＤＶＤドライブ、または内蔵ＤＶＤドライブ、ＣＤＲＯＭドライブ、ハードドライブ、フラッシュメモリ、ＵＳＢドライブなどが含まれ得る。前述し通り、様々なドライブ、および制御装置は随意的な装置である。
【００３１】
インターフェースを提供し、１つ以上のデータセットに関するクエリまたは分析を行うためのプログラム命令、ソフトウェア、または対話式モジュールを、ＲＯＭ６１０および／またはＲＡＭ６１５内に格納することができる。随意的には、プログラム命令を、のコンパクトディスク、デジタルディスク、フラッシュメモリ、メモリカード、ドライブ、Ｂｌｕ−ｒａｙ  Ｄｉｓｃ（商標）などの光ディスク記憶媒体、および／または、その他の記憶媒体などの有形のコンピュータ可読媒体上に格納してもよい。
【００３２】
随意的に、ディスプレイインターフェース６４０により、バス６００からの情報を、音声、視覚、映像または英数字のフォーマットでディスプレイ６４５上に表示してもよい。種々の通信ポート６５０を用いて、印刷装置などの外部の装置との通信が可能となる。通信ポート６５０は、インターネットまたはイントラネットなどの通信ネットワークに接続可能である。
【００３３】
ハードウェアには、インターフェース６５５が含むまれ、このインターフェース６５５により、キーボード６６０などの入力装置、またはマウス、ジョイスティック、タッチスクリーン、リモートコントロール、ポインティングディバイス、ビデオ入力装置、および／または、音声入力装置などのその他の入力装置６６５からデータを受信可能である。
【００３４】
上記に開示された特性および機能、および、その代替物は、様々なシステムまたはアプリケーションに組み込むことが可能である。現在は予期しない、または予見しない様々な代替形態、修正形態、変更形態、または改良形態が、当業者によりなされ得るが、それらも全て開示された実施形態に包含されることを意図するものとする。
【図１】
2014031006.tif 000003
【図２】
2014031006.tif 000004
【図３】
2014031006.tif 000005
【図４】
2014031006.tif 000006
【図５】
2014031006.tif 000007
【図６】
2014031006.tif 000008